(57)【要約】【課題】  オゾンは殺菌作用があるが、独特の匂いがするためヘアドライヤとして用いることは難しかった。【解決手段】  筐体２内にファン６、ヒータ１１、及びイオン発生器５を備え、イオン発生器５により水素イオンを主成分とするプラスイオンと酸素イオンを主成分とするマイナスイオンを発生させる。両イオンにより髪に水分を与え、髪、頭皮の臭い、汚れを軽減する。【選択図】図１
2013094193.tif 000002
【特許請求の範囲】
【請求項１】
筐体と、前記筐体内にヒータ、及びイオン発生器とを備え、
前記イオン発生器は、発生するイオンが水素イオンを主成分とするプラスイオンと酸素イオンを主成分とするマイナスイオンであることを特徴とするヘアケア装置。
【請求項２】
前記イオン発生器は、針電極と誘導電極とを備え、両電極間に印加される実効電圧の絶対値が１．５ｋＶから６．０ｋＶであることを特徴とする請求項１に記載のヘアケア装置。
【請求項３】
前記筐体内にファンをさらに備え、前記イオン発生器は、前記ファンよりも上流に配置されていることを特徴とする請求項１または２に記載のヘアケア装置。
【請求項４】
筐体と、前記筐体内にヒータ、及びイオン発生器とを備え、
前記イオン発生器で発生するイオンが水素イオンを主成分とするプラスイオンと酸素イオンを主成分とするマイナスイオンであり、前記両イオンにより生成されるＯＨラジカルの酸化分解作用により、髪及び頭皮の除菌と汚れを軽減することを特徴とするヘアケア装置。
【請求項５】
筐体と、前記筐体内にヒータ、及びイオン発生器とを備え、
前記イオン発生器で発生するイオンが水素イオンを主成分とするプラスイオンと酸素イオンを主成分とするマイナスイオンであり、前記両イオンの少なくとも一部は水分子と結合しており、前記両イオンにより髪の除電と、髪に水分を与えて保湿を行うことを特徴とするヘアケア装置。
【発明の詳細な説明】
【技術分野】
【０００１】
本発明は、髪の乾燥やセットを行うと共に、イオンにより髪のトリートメントを行うことができるヘアドライヤ、カールブラシ、ヘアアイロン等のヘアケア装置に関するものである。
【背景技術】
【０００２】
従来より、ヘアケア装置として、温風を吐出して髪の乾燥やセットを行うだけでなく、イオンを含んだ風を送風することにより髪のトリートメントも行うことができるヘアドライヤが用いられている。
【０００３】
例えば、特許文献１にはハウジング内に送風用のファン、イオンを発生するイオン発生部、ヒータ等を備えたヘアドライヤが示されている。ヘアドライヤは、ファンから送風された空気をヒータにより温めて、温まった空気をハウジングの空気吐出口より外部へ送り出し髪を乾かす。その際、ブラッシングなどにより髪が帯電することがある。そのため、イオン発生器によりマイナスイオンを発生させて髪に当てて静電気の発生を防止していた。
【０００４】
また、特許文献２では、放電電極によりプラスイオンとマイナスイオンとを発生させ、ニクロム線で温められた空気と共に髪に送風され静電気の発生を防止する技術が開示されている。
【０００５】
さらに、特許文献３では、オゾン発生放電管によりオゾンを発生し、カラーリングの安定化、頭皮の健全化を図った技術が開示されている。
【先行技術文献】
【特許文献】
【０００６】
【特許文献１】特開２００２−１９１４２６号公報
【特許文献２】特開２００８−４９１０１号公報
【特許文献３】実公平３−４１７０６号公報
【発明の概要】
【発明が解決しようとする課題】
【０００７】
従来のヘアケア装置の一種であるヘアドライヤはイオンにより髪やブラシの帯電を防止していた。また、オゾンの殺菌作用を利用しているものもあった。しかし、オゾンを用いた殺菌は独特のオゾン臭がするためあまり好まれておらず、特にヘアドライヤは鼻の近くで使用するためわずかな匂いでも敬遠される。
【０００８】
本発明は、上記の点に鑑みてなされてものであり、イオン発生器によりプラスイオンとマイナスイオンとを発生させ、イオンとＯＨラジカルの作用により除菌と汚れ・臭いの分解を行い、ヘアケアを行うことを目的とする。
【課題を解決するための手段】
【０００９】
本発明に係るヘアケア装置は、筐体と、前記筐体内にヒータ、及びイオン発生器とを備え、前記イオン発生器は、発生するイオンが水素イオンを主成分とするプラスイオンと酸素イオンを主成分とするマイナスイオンであることを特徴とする。
【００１０】
また、前記イオン発生器は、針電極と誘導電極とを備え、両電極間に印加される実効電圧の絶対値が１．５ｋＶから６．０ｋＶであってもよい。
【００１１】
また、前記筐体内にファンをさらに備え、前記イオン発生器は、前記ファンよりも上流に配置されていてもよい。
【００１２】
本発明係る別のヘアケア装置は、筐体と、前記筐体内にヒータ、及びイオン発生器とを備え、前記イオン発生器で発生するイオンが水素イオンを主成分とするプラスイオンと酸素イオンを主成分とするマイナスイオンであり、前記両イオンにより生成されるＯＨラジカルの酸化分解作用により、髪及び頭皮の除菌と汚れを軽減することを特徴とする。
【００１３】
本発明係るさらに別のヘアケア装置は、筐体と、前記筐体内にヒータ、及びイオン発生器とを備え、前記イオン発生器で発生するイオンが水素イオンを主成分とするプラスイオンと酸素イオンを主成分とするマイナスイオンであり、前記両イオンの少なくとも一部は水分子と結合しており、前記両イオンにより髪の除電と、髪に水分を与えて保湿を行うことを特徴とする。
【発明の効果】
【００１４】
本発明に係るヘアドライヤによれば、イオン発生器で水素イオンと酸素イオンとを発生させ、両イオンによりＯＨラジカルを発生させ髪や頭皮の汚れ、臭いを軽減することができる。また、イオンは水分子と結合しているため、髪に水分を与えることができる。
【図面の簡単な説明】
【００１５】
【図１】本発明の実施例１に係るヘアドライヤの側面透視図である。
【図２】本発明の実施例１に係るヘアドライヤの背面透視図である。
【図３】イオン発生器の外観例を示す斜視図である。
【図４】プラスイオンとマイナスイオンの模式図である。
【図５】本発明の実施例１に係るイオン発生器の配置を示す図である。
【図６】本発明の実施例２に係るヘアドライヤの正面図である。
【図７】本発明の実施例３に係るヘアドライヤの側面透視図である。
【図８】ファンの外観例を示す斜視図である。
【図９】本発明の実施例４に係るヘアドライヤの側面透視図である。
【図１０】本発明の実施例５に係るヘアドライヤの斜視図である。
【図１１】本発明の実施例６に係るヘアドライヤの側面透視図である。
【図１２】本発明の実施例７に係るヘアドライヤの側面透視図である。
【図１３】本発明の実施例８に係るイオン発生器の外観例を示す斜視図である。
【図１４】本発明の実施例８に係るイオン発生器の電極配置例を示す斜視図である。
【図１５】本発明の実施例９に係るヘアアイロンの側面透視図である。
【図１６】本発明の実施例９に係るヘアアイロンの実験を示す図である。
【図１７】本発明の実施例９に係るヘアアイロンの実験結果を示す図である。
【発明を実施するための形態】
【００１６】
以下、本発明の実施例について図面を用いて説明する。
【実施例１】
【００１７】
（ドライヤの構成）
図１は本発明の実施例１に係るヘアドライヤの内部構成を示す側面透視図であり、図２は背面透視図である。
【００１８】
ヘアドライヤ１は、筐体２と、筐体２の空気の吸い込み側にある吸気フィルタ３、筐体２に取り付けられたハンドル４と、空気の吐出口側にあるノズル１３から外装が構成されている。なお、筐体２、吸気フィルタ３、ハンドル４及びノズル１３は一体形成されていてもよい。
【００１９】
筐体２の内部には、イオンを発生させるイオン発生器５、空気を送風するファン６、ファン６を駆動するための図示しないモーターや配線、空気流路７、ヒータ１１等が設けられている。
【００２０】
ここで、筐体２内でファン６よりも吸気フィルタ３側（図１の右側）を上流側、ファン６よりも吐出口１２側（図１の左側）を本明細書では下流側と呼ぶことがある。なお、本明細書ではある部分を基準として、その位置よりも風の流れが上流に位置するときに上流に位置するなどと呼ぶことがある。例えば、ファン６は空気流路７の上流に位置している、と表示する。
【００２１】
筐体２はプラスチック製である。筐体２は、内部が空洞になっており、空気が流れるようになっている。筐体２は、筐体２の一方端は空気の流入口で吸気フィルタ３が取り付けられ、もう一方端は空気が吐き出される吐出口１２となっており、その間に空気流路７がある。空気流路７は、筐体２にマイカフィルムが貼り付けられ耐熱性が高められている。吐出口１２には金属製のフィルタがつけられている。
【００２２】
吸気フィルタ３は金属又はプラスチック製であり、網目状や格子状に孔が開いている。吸気フィルタ３は、ほこりなど大きな異物が入らないように、また動作中に誤って指などがファン６に触れないように保護する役割を果たしている。ここでは、吸気フィルタ３は筐体２から着脱できるように筐体２に取り付けられている。
【００２３】
ハンドル４は、プラスチック製であり、スイッチ１４が設けられている。ハンドル４にあるスイッチ１４を操作しヘアドライヤ１を動作状態にすると、イオン発生器５、ファン６、ヒータ１１が動作する。スイッチ１４の操作により、例えば髪を乾かすのに適した強温風モード、スタイリングに適した弱温風モード、風のみを送風する送風モードなど用途に応じたモードに切り替えることができる。送風モード時にはヒータ１１は動作しない。
【００２４】
イオン発生器５は筐体２の上流側に配置され、具体的には吸気フィルタ３とファン６の間に配置されている。また、イオン発生器５はファン６の中心線よりも上方に配置されている。イオン発生器５は、イオンを発生させている。発生されるイオンは、イオン単体の場合やイオンと水分子が結合している状態のイオンを発生させる場合もある。イオンやイオンに結合している水分子により髪の除電や髪をしっとりとさせる効果を発揮する。
【００２５】
ファン６は、ポリプロピレン製である。ファン６は、空気を吸気フィルタ３を介して筐体２内に取り込み、筐体２の吐出口１２から外へ送りだす。ファン６から送風された空気は、空気流路７を通る。空気流路７は、吐出口１２まで延びるマイカ製の仕切板１０により上空気流路８と下空気流路９に分かれている。上空気流路８にはヒータが設けられておらず、上空気流路８を通る空気は、ファン６から送風された空気がそのまま送りだされる。下空気流路９を通る空気は、ヒータ１１により温められ温風として外へ送りだされる。
【００２６】
このように、温風と通常の空気（冷風）が入り混じって送風されることにより、温風の熱により髪の水素の結合が切れくせ毛を伸ばすことができ、その直後に冷風を当てると再び髪の水素の結合が起こるためくせ毛が伸びた状態で固定させることができ、髪のスタイリング性を向上させることができる。
【００２７】
イオン発生器は空気清浄機で用いられているが、空気清浄機では部屋中に行き渡らせるために発生したイオンを拡散するように送風する。しかし、ヘアドライヤ１で同じように送風すると筐体２内の狭い空間でイオンが拡散することになるためイオンが中和されヘアドライヤ１の外へ出るイオンの数が少なくなるという問題がある。そのため、本実施例では、ファン６の上流にイオン発生器５を配置することにより、平行な風でイオンを送風しプラスとマイナスに分離した状態でファン６に入り、ファン６を出た後に旋回風になっても中和する量を減らすことができた。
【００２８】
イオン発生器５は下空気流路９とファン６を介してほぼ平行に設けられている。これによりイオン発生器５で発生したイオンの多くが下空気流路９を通り送風されることになる。これによりヘアドライヤ１の外へより多くのイオンを送風することができるため効果的である。
【００２９】
ノズル１３は、プラスチック製で、断面形状が台形状になっており吐き出し口側が広く他端が狭くなっている。ノズル１３は、吐出口１２から吐き出される空気が広がらないように整流する。
【００３０】
なお、本実施例のように、吸気フィルタ３の吸気面積が空気流路７の内寸よりも大きいことが望ましい。これにより、より速い風をヘアドライヤ１の外部へ送風することができる。
【００３１】
また、本実施例のようにイオン発生器５をヒータ１１から遠い位置に配置することにより、イオン発生器５がヒータ１１の熱により誤動作、故障することを防止することができる。
（イオン発生器）
次に、イオン発生器５について詳細に説明する。
【００３２】
図３は、イオン発生器５の斜視図である。イオン発生器５は、針電極１５と誘導電極１６からなるイオン発生部を２つ有している。各イオン発生部は左右に並ぶように配置されている。針電極１５は先端が尖った針形状であり、その周囲を囲むように円形の誘電電極１６が配置され、両電極間の間隔は８ｍｍになっている。
【００３３】
例えば、針電極１５に実効電圧＋２ｋＶ以上の電圧と０Ｖが切り替わる６０Ｈｚの交流を印加し、誘電電極１６に０Ｖの直流を印加することによりイオンが発生する。針電極１５に実効電圧＋２ｋＶ以上が印加されているときに誘電電極１６との間の電位差によりコロナ放電が起こり、針電極１５の先端部近傍で空気中の水分子が電離して水素イオン（Ｈ＋）が生成する。この水素イオンが空気中の水分子と群状態で結合（クラスタリング）し、図４（ａ）に模式図を示すようなＨ＋（Ｈ２Ｏ）ｍ（ｍは任意の自然数）から成る正イオンが発生する。
【００３４】
また、針電極１５に実効電圧−２ｋＶ以下の電圧と０Ｖが切り替わる６０Ｈｚの交流を印加し、誘電電極１６に０Ｖの直流を印加することによりマイナスイオンが発生する。このマイナスイオンは、空気中の酸素分子又は水分子が電離して酸素イオンＯ２−が生成する。この酸素イオンが空気中の水分子と結合（クラスタリング）して、図４（ｂ）に模式図を示すようなＯ２−（Ｈ２Ｏ）ｎ（ｎは任意の自然数）から成る負イオンが発生する。
【００３５】
このようにイオンは水分子と群状態で結合することにより水分子がイオンを保護する役割を果たし、イオンを確実に頭皮へ届けることができるだけでなく、水分子が髪や頭皮へ水分を与える役割を果たす。この水分子はミストのような粒の大きなものではなく分子レベルの大きさであり、髪や頭皮に確実に浸透し、べたついた感じにならない。また、髪が乾いた状態で使用しても髪に適度な潤いを与えぱさついた感じにならない。
【００３６】
本発明で用いるイオン発生器５は、コロナ放電を利用し、水素イオンと酸素イオンが主成分のイオンを発生させる。本実施例のイオン発生器５では、発生イオンとして水素イオンと酸素イオンのみが検出された。他のイオンも発生している可能性もあるが検出限界以下である。本実施例のように窒素と酸素のみが発生することが好ましく、窒素イオン（プラスイオン）が発生していないことが望ましい。空気中の主成分は窒素であり、高電圧をかけてイオンを発生させると窒素イオンがプラスイオンとして発生するが、プラスの窒素イオンとマイナスの酸素イオンが中和すると窒素酸化物（ＮＯｘ）となり有害な物質になる。そのため、窒素イオンがなるべく発生しないようにし、窒素酸化物が０．０１ｐｐｍ以下となるように、水素イオンの方が窒素イオンよりも多い条件、つまり水素がプラスイオンの主成分となるような条件でイオンを発生させる。本発明で用いるイオン発生器５は、ＮＯｘについて限界検出以下であった。
【００３７】
また、オゾンもなるべく発生させないことが望ましく０．１ｐｐｍを超えると異臭が発生するため好ましくなく、匂いを感じ始める０．０５ｐｐｍ以下、更に望ましくは０．０１ｐｐｍ以下であり、このレベルであればほぼ無臭でありヘアドライヤとして好ましいレベルとなる。本発明で用いるイオン発生器５は、臭いを感じ始めるレベルである０．０５ｐｐｍの１／５以下のレベルであった。
【００３８】
電極は針電極１５と針電極１５の周囲を囲むような形状の誘導電極１６を用いることが好ましい。平行平板電極に比べ低い電圧でイオンが発生し、低い電圧であればオゾンの発生量が少ないためオゾン臭を防止できるからである。電極構造により発生電圧は多少異なるが、針電極とその周囲を囲む誘導電極を用いる場合は、概ね実効電圧の絶対値が１．５ｋＶから６ｋＶの交流電圧を印加すると水素イオンと酸素イオンが主成分のイオンが発生する。電圧が低すぎるとイオンが発生せず、高い電圧を用いると水素イオンと酸素イオン以外のイオン、特に窒素を主成分とするイオンが発生するようになり、体に有害な窒素化合物などが発生するようになる。また、電圧を高くするとイオンも多く発生するが同時にオゾンも発生し、オゾン臭がするようになるため好ましくない。好ましくは、２ｋＶから５ｋＶの実効電圧を用いてイオンを発生させると高濃度の水素イオン及び酸素イオンを主成分とするイオン濃度と、オゾン臭がしない状態を両立できる。
【００３９】
ここでは、イオン発生器５はイオン発生部を２つ有しており、各イオン発生部はプラスイオン発生部とマイナスイオン発生部となっている。そのため、プラスイオンとマイナスイオンが同時に放出され、ファン６により作りだされる空気の気流に乗って下流へと流れる。
【００４０】
イオン発生器５は図３に示すようにイオン発生部が左右に並ぶように配置されている。各イオン発生部はプラスイオン発生部とマイナスイオン発生部となっている。各イオン発生部によって作り出されたイオンは、ファン６により作りだされる空気の気流に乗って下流へと流れる。
【００４１】
図５はイオン発生器の配置図である。
【００４２】
イオン発生器を図５（ａ）から（ｃ）までの３種類に配置し、ヘアドライヤ１の吐出口１２から送風されたイオン量を測定した結果が表１である。ここでは、通常の送風量のときと（ＮＯＲＭＡＬ）、送風量が多い（送風が速い）状態（ＴＵＲＢＯ）の２つの状態で実験を行った。
【００４３】
図５(ａ)では、イオン発生器５を風の向きに対して、イオン発生部である電極を直交する方向に配置した。この配置では、表１に示すように９５万個／ｃｃから１２０万個／ｃｃのイオンが測定された。実験によれば、３種類のイオン発生器５の配置の中で測定されたイオン量が一番多い、つまりイオン濃度が一番高かった。
【００４４】
図５（ｂ）では、風の向きに対し風下の方に電極を配置した。この場合でも、９０万個／ｃｃから１１０万個／ｃｃのイオンが出ており実用上問題のないレベルのイオン量が測定された。
【００４５】
図５（ｃ）では、風の向きに対し風上の方に電極を配置した。この場合でも、９５万個／ｃｃから１０５万個／ｃｃのイオンが出ており実用上問題のないレベルのイオン量が測定された。
【００４６】
【表１】
2013094193.tif 000003
このように、イオン発生器５について３種類のレイアウトで実験を行った結果、いずれでも十分な量のイオンを得ることができることが判明した。ヘアドライヤでは送風される風の量が少ないと髪を乾かす時間が長くなるため、吸気面積を広く取ることが望ましい。そこで、吸気口３を塞がないようなイオン発生器５の配置である図５（ｂ）または図５（ｃ）のような配置がよい。特に、イオン発生器５の配置は電極にほこりが直接つきにくい図５（ｂ）のような配置が好ましい。そこで、本実施形態では図５（ｂ）のレイアウトを用いた。
【００４７】
送風されるプラスイオンとマイナスイオンはほぼ同数、若しくはマイナスイオンの方が若干多いことが望ましい。プラスイオンとマイナスイオンの数のバランスが取れていた方がると髪ＯＨラジカルが発生する確率が高くなる。バランスしていない場合は、髪はプラスに帯電しているためマイナスイオンが多い方が髪のきしみや傷みを防止することができるため好ましい。
【００４８】
上述したように、従来のイオン発生器が搭載されているヘアドライヤでは、特許文献１のようにイオン発生器は専用通路に設けられ、専用通路は空気の送付量が制限されるような細い通路になっており、風量が弱く髪に届きにくいという欠点があった。これは、特許文献１で用いているイオン発生器はペルチェ素子などを用いて水の膜を作り、その水をミスト状にして利用するため強い風を当てると水の膜が乾燥してできなくなるからである。しかし、本発明のイオン発生器５を用いると分子レベルでイオンと結合しているため上記のような問題は発生しない。
【００４９】
また、特許文献１のような構成ではドライヤの本来の風が熱く風量が強いため、イオン専用通路から出る弱い風が本当に髪に当たっているか気がついていないことが多く、実際には髪に当たっていないことも多かった。しかし、本発明のようにすると、イオン専用風ではなく髪を乾かす風と同じ風を用いているため使用者が髪にイオン風が当たっているかどうか分かりやすくなり髪や頭皮に適切に当てながら使用することができるためイオンによる効果を発揮しやすい。
【００５０】
その上、表１を見れば明らかなように本発明のイオン発生器５によれば風量が多くなるほど発生したイオンを効果的にヘアドライヤ１の外に出すことができる。そのため、サロンのような強い風を使って髪を乾かしたときにより効果が発揮されることになり、しっとりとしたきしみや傷みのないサロンのブローをしたような効果を家庭でも得られるようになる。濡れた髪は傷みやすく、特に熱ダメージに弱い。しかし、風量が多いドライヤ１を用いれば早く髪を乾燥させることができるため、ダメージを減らすことができる。
【００５１】
本発明のイオン発生器５は、プラスイオンとマイナスイオンを発生する。そこで、プラスイオンとマイナスイオンとを利用した場合と、マイナスイオンのみを利用した場合について、髪とブラシの帯電量を調べた結果を表２に示す。なお、温風を使っても送風のみ（冷風）を使っても傾向に大差はなかった。
【００５２】
【表２】
2013094193.tif 000004
本実験は、以下のように帯電量を測定した。
（１）ブラッシング直後（表２上段）
長さ６０ｃｍの人毛束のサンプル（髪と表に記載、以下髪と呼ぶ）をポリプロピレン製のブラシで１０回ブラッシングした直後の髪の帯電量とブラシの帯電量をまず測定した。測定は６０ｃｍの髪の上部を縛ってつるし、上から１０ｃｍの部分の帯電量（表に上部と記載）、中央部分の帯電量（表に中央と記載）、下から１０ｃｍの部分の帯電量（表に下部と記載）を測定し、その平均を求めた（表に平均と記載）。また、ブラシの帯電量もあわせて測定した。
（２）マイナスイオン（表２中段）
上記ブラッシング直後に帯電量を調べた後、髪とブラシに図１に示すようなヘアドライヤ１にマイナスイオンを発生するイオン発生器を搭載したドライヤ１で３０秒間送風した後、ブラッシング直後と同じように帯電量を測定した。なお、吐出口１２（ノズル１３）からのイオン量を調べるとマイナスイオンが２１０万個／ｃｃ測定された。
（３）プラスイオン、マイナスイオン（表２下段）
上記ブラッシング直後に帯電量を調べた後、髪とブラシに図１に示すようなヘアドライヤ１に上述したプラスイオン、マイナスイオンを発生するイオン発生器５を搭載したドライヤ１で３０秒間送風した後、ブラッシング直後と同じように帯電量を測定した。なお、吐出口１２（ノズル１３）からのイオン量を調べるとプラスイオン、マイナスイオン共に１００万個／ｃｃ、つまり総量２００万個／ｃｃのイオンが測定された。
【００５３】
髪はプラスに帯電しやすく、ブラシの素材であるポリプロピレンはマイナスに帯電しやすい性質を持っており、表２上段に示すようにブラッシング直後は、髪は大きくプラスに帯電し、ブラシはマイナスに帯電している。髪がプラスに帯電していることにより、髪同士が反発しあい髪にまとまりがなく広がった状態となる。また、ブラシはマイナスに帯電しており、プラスに帯電した髪と引きつけ合うことによりブラシと髪がからまる、摩擦がおきやすくなりまとわりつきが起こるという問題がある。このように帯電した状態でブラッシングを続けると髪にまとまりがなくなり、摩擦によるキューティクルダメージが発生し髪のつやが減少し、枝毛、切毛といった傷みが生じる。
【００５４】
表２中段に示すように、マイナスイオン単独の場合は髪の帯電量が減少している。しかし、髪の帯電は３０秒の送風でもプラス帯電から弱マイナス帯電に変化している。弱マイナスイオンで安定するとドライヤから送風されるマイナスイオンと反発するようになる。そのため、マイナスイオンを含む水分子が髪へ供給されなくなる。つまり、マイナスイオン単独のイオン発生器を用いたドライヤでは髪の帯電防止には効果があっても水分を与えることによるしっとり感を得ることは難しいことが分かる。また、弱マイナスに帯電しているため髪同士が反発し、イオンを与えない状態よりはよいが多少髪の広がりが生じ、その上、マイナスに帯電しているブラシには除電の効果はないため摩擦によるキューティクルダメージが発生し髪のつやが減少し、枝毛、切毛といった傷みには対処できない。
【００５５】
それに対し、本発明のようにプラスイオンとマイナスイオンとを髪に与えると、髪はほぼ帯電していない状態になり、髪の広がり、摩擦によるキューティクルダメージが発生することによる髪のつや減少、枝毛・切毛といった傷みの発生が防止できる。また、髪がほぼ帯電していない状態であるためプラスイオン、マイナスイオンの両イオンが髪に供給され続けるため水分子と結合したイオンにより多くの水分が髪に供給されることになる。また、仮に髪がプラス、マイナスに若干帯電したとしてもプラスイオンにより水分子が供給されるため、問題とならない。
【００５６】
このように、イオン総量がほぼ同じ場合であってもプラスイオンとマイナスイオンを供給した方が静電気により生じる様々な問題に対し有利な効果が得られることが判明した。マイナスイオンをあたえることでは実現できないブラシの除電もできるため、ブラッシング時の静電気の発生を抑えることができ髪のダメージを軽減することができる。
【００５７】
また、本発明のイオン発生器５は水分子と結合したイオンを供給している。そのため、髪の表面を水分子が覆い髪の表面にあるキューティクルを引き締める。そして、上述したようにプラスイオンとマイナスイオンにより水分子を連続的に供給できるため水分が髪に浸透し、髪にうるおいを与え、よい保湿効果を得ることができる。これにより、髪のキューティクルを引き締めダメージから髪を守り、髪が保湿され、うねりを抑えてなめらかな髪を得ることができ、ハリコシといった弾力あるしなやかな髪を得ることができる。これに対し、マイナスイオンしか与えない場合は、髪がマイナスに帯電し水分の補給ができなくなるため本発明のイオン発生器５ほど効果を得られない。また、本発明のイオン発生器５は空気中の水素、酸素、水を用いて髪に水分を与えるため、液体の水を発生させてその水を帯電して送る静電霧化方式よりも早い段階から髪に水分を与えることができる。
【００５８】
本発明のイオン発生器５を用いるとプラスイオンとマイナスイオンが髪や頭皮近辺で反応、または髪や頭皮に付着し両者が反応しＯＨラジカルを作る。ＯＨラジカルおよび両イオンの作用により、シャンプー時に髪に残ったアニオン系界面活性剤を中和分解して髪のごわつきを解消させ、リンス時に髪に付着したカチオン系界面活性剤を中和分解してキューティクルの開きを抑えてしなやかな髪に仕上げることができる。ＯＨラジカルは、育毛のさまたげになっている頭皮に残っている汚れにも作用する。頭皮に付着したシャンプーやリンスの残りかすを中和分解し頭皮の汚れを軽減する。これにより育毛に最適な頭皮な作る手助けをすることができる。また、ＯＨラジカルは除菌消臭効果もある。ＯＨラジカルにより頭皮の汚れの軽減、および頭皮に存在する菌の脂肪酸分解による不快臭の発生を軽減することができる。
【００５９】
なお、ＯＨラジカルは不安定であるためナノ秒単位でしか存在することができない。そのためＯＨラジカルをイオン発生器５で作りだしても頭皮に届く前に消滅してしまう。しかし、本実施例のようにプラスイオンとマイナスイオンをイオン発生部で作りだし、髪や頭皮近辺で両者を反応させることにより効果的にＯＨラジカルを作り出すことができる。ＯＨラジカルは水素イオンと酸素イオンを主成分とするイオンを発生させることにより効果的に作り出すことができる。また、イオンも不安定な状態であるが水分子に囲まれて保護されている。
【００６０】
イオン発生器５により発生したイオンは同時にファン６や内部のマイカの帯電を軽減することもできる。これにより部品にほこりが付着するのを軽減することができる。本発明ではプラスイオンとマイナスイオンを用いているため、例えばマイカはプラスに帯電しやすい、ポリプロピレンはマイナスに帯電しやすい等部品により異なる帯電に対応することができる。
【００６１】
マイナスイオンあるいはプラスイオンだけ用いた場合は吐出口１２に設けてあるフィルタが帯電してイオンが出にくくなることがあるが、プラスとマイナスのイオンによりそのような現象が防止できる。
【００６２】
イオン発生器５のプラスイオンとマイナスイオンのイオン発生部をファンの直径の１／２程度離れて配置することが望ましい。特に、プラスイオンとマイナスイオンのイオン発生部を風の向きに対して直交する方向に約２０ｍｍ以上離すとよい。これにより、イオン発生直後にプラスイオンとマイナスイオンが中和を減少することができる。
【００６３】
空気中の水分子を利用するイオン発生器を用いるので、特許文献１のように狭い空気流路に置くよりも、大量の空気を吸気する吸気側（上流側）に設けることにより、効果的に空気中の水分子を利用することができ、イオンや水分子に結合したイオンを多く発生させることができる。そのため、ファン６などの静電気の発生防止、髪の静電気の発生防止の効果が上がる。
【実施例２】
【００６４】
図６は本発明の実施例２に係るヘアドライヤの正面図である。
【００６５】
本実施例２では、空気流路７を仕切板１０により上空気流路８と下空気流路９とに分けただけでなく、下空気流路９を左下空気流路９ａと右下空気流路９ｂとに分離した。その他は実施例１と同じである。このように、仕切板１０の形状を変えるだけでイオン発生器５で発生したプラスイオンとマイナスイオンが空気流路７で混ざることが少なくなりヘアドライヤ１の外へ出るイオンの量を多くすることができる。なお、仕切り板１０は上下と左右を分ける部材を一体形成してもよく、別々の部材で形成してもよい。
【実施例３】
【００６６】
図７は本発明の実施例３に係るヘアドライヤの内部構成を示す側面透視図であり、図８はファンの一例を示す斜視図である。
【００６７】
実施例１から３と本実施例との違いは、空気流路７が上下に分かれておらず一つの空気流路が形成されていることである。なお、ヒータ１１はこれまでの実施例と同様に空気流路の下部分のみに設けられている。図８（ａ）に吹出側、同（ｂ）に吸込側を示すように、ファン６は吹出側に整流板がついた羽６ａを有する。
【００６８】
このような構成でも、イオン発生器５により発生したイオンの多くは平行風に乗って、空気流路７の上側を通り、ヒータ１１により熱せられることなくイオンを含んだ風が吐出口１２から送風される。そのため、イオン及びイオンと結合した水分子が熱せられることによる問題を軽減することが可能となる。また、プラスイオンとマイナスイオンを発生させた場合、両者が中和するのを防止することができる。
【００６９】
なお、本実施例のファン６を実施例１及び２のように仕切板１０を設けると、空気流路７内でヒータ１１の熱を遮断できること及び空気流路７内でプラスイオンとマイナスイオンが混合し中和することが防げられるためさらに効果的である。
【実施例４】
【００７０】
図９は本発明の実施例４に係るヘアドライヤの内部構成を示す側面透視図である。
【００７１】
本実施例では実施例１などと異なり上空気流路８にヒータ１１を配置し、下空気流路９にはヒータ１１がなくファン６から送風された空気がそのまま通る構成となっている。それに合わせてイオン発生器５も下側に配置している。このように配置するとイオン発生器５の電源回路など電気回路をハンドル周辺にまとめて配置することが可能となり好都合である。
【００７２】
また、使用者は熱風を髪に当てるため、実施例１のように下空気流路９を熱風が通るようにすると上空気流路８を通ったイオン風が髪以外のところにあたっていることがあった。しかし、熱風が通る空気流路を上側の上空気流路８とすると下空気流路９を通ったイオン風が髪にあたっている時間が多くなり好ましい。
【実施例５】
【００７３】
図１０は本発明の実施例５に係るヘアドライヤの斜視図である。
【００７４】
本実施例６では、イオン発生器５のメンテナンスのために吸気フィルタ３を筺体２から取り外すための具体的な構成を示した。
【００７５】
まず、図１０（ａ）に示すように、吸気フィルタ３を筐体２から取り外す。吸気フィルタ３と筺体２は、爪により取り付けられていてもよいし、磁石を用いて取り付けられていてもよいし、回転させて取り外しができるようにしてもよく、具体的な構成は特に問わない。
【００７６】
次に、図１０（ｂ）に示すように、イオン発生器５を筐体２から取り外す。本実施例では、イオン発生器５をスライドさせることにより筺体２から容易に取り外せるようにした。イオン発生器５の電源は電極側の下にコネクタをつけて、抜き差しするだけで電源とつなぐことができる。なお、スライド機構以外に、ネジ止め、バネを用いたプッシュ機構など様々な形態を用いることができる。
【００７７】
吸気フィルタ３を筺体２から取り外すことにより、イオン発生器５のメンテナンス、交換が容易に行えるようになる。イオン発生器５の針電極１５及び誘導電極１６、特に針電極１５はイオンを発生させていくと徐々に表面に異物が付着し性能を発揮しなくなる。特にシリコン含むヘアスプレを用いると、空気中にその成分が残り、その空気をファンが取り込むことにより電極の表面に異物が付着しやすくなり、比較的早い段階で性能を発揮しなくなる場合がある。そのため、定期的に電極のメンテナンスを行うか、イオン発生器５の交換を行うことが望ましい。
【００７８】
このようにイオン発生器５をファン６の上流に配置することにより容易にイオン発生器５をメンテナンスすることができるようになる。
【実施例６】
【００７９】
図１１は本発明の実施例６に係るヘアドライヤの内部構成を示す側面透視図である。
【００８０】
本実施例では、これまでの実施例と異なり吸気フィルタ３をイオン発生器５とファン６との間に配置した。イオン発生器５はこれまでと同様に筐体２内の上流側、つまりファン６の上流に配置されている。
【００８１】
空気は、吸気フィルタ３から入りファン６へ吸い込まれ、ファン６から空気流路７を通って吐出口１２、ノズル１３を介してヘアドライヤ１の外へ送風される。イオンは、イオン発生器５で発生し吸気フィルタ３からファン６への風の流れにのって下流へ送風される。従って、イオンによりファン６の帯電を防止すなど、これまで説明した実施例と同様な効果が得られる。
【００８２】
また、本実施例ではイオン発生器５をメンテナンスする場合、実施例６のように吸気フィルタ３を取り外してメンテナンスをするのではなく、裏蓋１５を取り外し可能な構造とし、メンテナンスを行えるようにした。裏蓋１５は筐体２と外観上の一体感を損なわないように同じ材料を使うことが好ましい。
【実施例７】
【００８３】
図１２は本発明の実施例７に係るヘアドライヤの内部構成を示す側面透視図である。
【００８４】
本実施例では、これまでの実施例と異なりイオン発生器５をファン６の下流に配置した。
【００８５】
このようにファンよりも下流にイオン発生器５を設ける場合、プラスイオンとマイナスイオンを発生させているため、プラスイオンとマイナスイオンが風により混ざり中和することによりイオンがヘアドライヤの外へ出ないことがある。このような問題点に対応するため、以下のような方法をとることが望ましい。なお、以下の方法は適宜組み合わせて同時に実施してもよい。
【００８６】
（ａ）実施例２（図６）のように空気流路８を左上空気流路８ａと右上空気流路８ｂに分離し、各空気流路にプラスイオン発生部とマイナスイオン発生部とを分けて配置する。これにより、イオンが発生した直後に混合し中和するのを防止することができる。
【００８７】
（ｂ）実施例３（図８）のように吹出側に整流板がついた羽６ａを有するファン６を用いる。整流板を用いることで旋回風ではなく平行風をイオン発生部に送ることができプラスイオンとマイナスイオンが中和するのを少なくすることができる。
【００８８】
（ｃ）速い風をイオン発生部に送るようにする。風速１０ｍ／秒以上の風を送ることが望ましい。前述のように風速が上がるほど本発明のイオン発生器５はヘアドライヤ１の外部に出るイオン個数（濃度）が高くなる。これは、イオンは針電極１５の先端付近で発生するが一部は誘導電極１６により中和されてしまう。そのため、針電極１５で発生した直後に誘導電極１６から遠ざければ多くのイオンをヘアドライヤ１の外へ送ることができる。そこで、本実施例では通常の髪を乾かすモードで風速１０ｍ／秒以上の風を送風することができる大型ファン６を用いて多くのイオンがヘアドライヤ１の外へ出るようにした。風量をあげるターボモードでは１１．５ｍ／秒である。なお、本実施例で用いたファン６を他の実施例に用いればよりよい効果が得られる。
【００８９】
イオン発生器５は熱に弱い。そのためヒータ１１の近くに置くと熱により故障する可能性があるため、本実施例のようにヒータ１１がない空気流路をヒータ１１とイオン発生器５との間に配置するとよい。
【実施例８】
【００９０】
図１３、図１４は本発明の実施例８に係るイオン発生器を示す外観図である。本イオン発生器５は実施例１から７に示したヘアドライヤに搭載可能である。
【００９１】
本実施例で用いたイオン発生器５は、まず図１４に示すように針電極１５が誘導電極１６よりも１０ｍｍ突出している。誘導電極１６はプリント基板１９に設けられている。針電極１５は、プリント基板１９の下の図示しないプリント基板に設けられ、プリント基板１９の誘導電極１６の内側に設けられた穴２０を貫通して誘導電極１６よりも１０ｍｍ突出している。このように、針電極１５と誘導電極１６のプリント基板を別にすることにより、誘導電極１６に針電極１５に印加する高電圧のノイズが乗りにくくなる。
【００９２】
図１３に示すように、カバー１８をプリント基板１９の前に取り付け、針電極１５のみが見える状態にする。このようにすることにより、針電極１５と誘導電極１６との間にほこりが付着することがなくなり、ほこりによって両電極間にリークが起こりイオンが発生しなくなることを防止することができる。また、イオンが多く発生するのは針電極１５の先端部分であり、その部分を誘導電極などで邪魔することがなくなり、効率的に針電極１５の先端に風を当てることができより多くのイオンを外部へ送ることができる。
【００９３】
本実施例のイオン発生器を実施例１の図５（ｂ）で説明したヘアドライヤに取り付けて実験したところ、プラスイオンが１６２万個、マイナスイオンが１５８万個と１．６倍増加した。
【実施例９】
【００９４】
ここまで実施例としてヘアドライヤを用いて説明を行ってきたが、本実施例ではヘアアイロンを用いて説明を行う。
【００９５】
図１５は本発明の実施例９に係るヘアアイロンを示す側面透視図である。
【００９６】
ヘアアイロン２１は、筐体２２内にイオン発生器２５、ファン２６、イオン発生器２５などを動作させる基板３０を有している。ヘアアイロン２１の先端には髪をセットする一対のアイロン２９がある。ヘアアイロン２１は持手２４を有する。
【００９７】
筐体２２には、ファン２６の後方から側面にかけて吸気口２３がある。イオン発生器２５の電極は下側にあり、空気流路２７へ向かってイオンが放出される。発生したイオンは、ファン２６からの送風により空気流路２７を通って、筐体２２の側面にあるイオン吐出口２８から送風される。イオン吐出口２８は左右の側面にある。イオン発生器２５は、これまでの実施例と同じくプラスイオンとマイナスイオンを発生させる。
【００９８】
図１６はヘアアイロンの実験を示す図であり、図１７はヘアアイロンの実験結果を示す図である。
【００９９】
ここでは、ヘアアイロン２１を用いてくせ毛のまとまり具合を測定している。本実験は、以下のようにくせ毛のまとまり具合を測定した。
（１）イオンなし（図１６中段）
まず、長さ３０ｃｍのパーマ処理した人毛束のサンプル（以下、髪と呼ぶ）の髪の長さ方向の中央部の幅を測定する（初期幅Ｗ０）。次に、ヘアアイロン２１で髪を５秒走査処理し、髪の長さ方向の中央部の幅を測定する（幅Ｗ）。そして以下に定義するまとまり度を求めた。
【０１００】
まとまり度＝幅Ｗ／初期幅Ｗ０
まとまり度は、初期の広がった状態の髪から、広がりが少ないストレート状態の髪への変化を表し、数値が小さいほどよい。
【０１０１】
ヘアアイロン２１はアイロン２９により熱を加え、イオン発生器２５およびファン２６は動作させていない。ヘアアイロン２１で髪を５秒走査処理する作業を１０回行い、その都度髪の長さ方向の中央部の幅を測定した。その結果が、図１６の中段に示す写真及び図１７の四角で示すグラフである。なお、４回目以降はあまり変化がないことから写真は省略する。
（２）マイナスイオン（図１６下段）
ここではヘアアイロン２１のイオン発生器２５からマイナスイオンを発生させ、上記イオンなしと同様に髪の初期値の幅を測定し、ヘアアイロン２１で髪を５秒走査処理した後に髪の幅を測定し、その走査処理を１０回繰り返した。その結果が、図１６の下段に示す写真及び図１７の三角で示すグラフである。なお、イオンは左側面から３００万個／ｃｃ、右側面から４００万個／ｃｃ測定された。
（３）プラスイオン、マイナスイオン（図１６上段）
ここではヘアアイロン２１のイオン発生器２５からプラスイオンとマイナスイオンを発生させ、上記イオンなしと同様に髪の初期値の幅を測定し、ヘアアイロン２１で髪を５秒走査処理した後に髪の幅を測定し、その走査処理を１０回繰り返した。その結果が、図１６の上段に示す写真及び図１７の丸で示すグラフである。なお、イオンは左側面、右側面共にプラスイオンとマイナスイオンの総量が各々１００万個／ｃｃ、つまり計２００万個／ｃｃ測定された。
【０１０２】
図１６の下段写真や図１７のグラフから明らかなように、イオンを与えない状態ではあまり髪がまとまらない。これは、ヘアアイロン２１はアイロン２９により過熱してスタイリングを行うが、髪の水素結合が切断され髪が伸びた状態、つまりストレートヘアになるが、アイロン２９で挟みながら走査するため帯電により髪の毛の束が膨らんだ状態、つまり髪のまとまりがない状態になる（写真参照）。
【０１０３】
図１６の下段写真や図１７のグラフからわかるように、マイナスイオンを与えることにより帯電による影響は少なくなり髪のまとまりはイオンを与えない状態よりよくなっているが後述するプラスイオン、マイナスイオンを与えた状態よりもやや悪い。これは、実施例１でも説明したようにマイナスイオンを与え続けると髪が弱マイナスに帯電しヘアアイロン２１から与えられるマイナスイオンが反発することによりマイナスイオンを含む水分子が髪へ供給されなくなることが原因と考えられる。イオンの総量はプラスイオン、マイナスイオンを与えた状態よりも多いがイオンが髪のまとまりにうまく作用していないことが分かった。
【０１０４】
図１６の上段写真や図１７のグラフからわかるように、プラスイオン、マイナスイオンを与えることにより一番髪のまとまりがよくなっている。これは、実施例１で説明したようにプラスイオンとマイナスイオンとを髪に与えると、髪はほぼ帯電していない状態になり、きしみや傷みの発生が防止できるだけでなく、髪がほぼ帯電していない状態であるためプラスイオン、マイナスイオンの両イオンが髪に供給され続け水分子と結合したイオンにより多くの水分が髪に供給されるからである。そのため、例えイオンの総量がマイナスイオン単独で与える場合よりも少ない場合でも十分な効果を発揮することができ、非常に有効に作用することが判明した。
【０１０５】
その結果、髪の水素結合を一旦切って髪の形を整えた後、ヘアアイロンの熱で加熱させることにより再び水素結合させてくせ毛を確実に伸ばしてまとまり、しっとりとしなやかに髪を整えることができ、スタイリング性能およびその持続性を向上させることができる。イオン発生器５による除電、水分の供給効果は実施例１で詳細に説明した通りであり、髪や頭皮の除菌消臭効果なども同様に得ることができる。
【０１０６】
以上、本発明の実施例について説明を行ったが、これ以外にも様々な変更を行うことができる。例えば、ヘアケア装置としてカールブラシタイプを用いることもできる。また、イオン発生器５として格子状の電極のものを用いることもできるし、プラスイオンとマイナスイオンを交互に発生させることもできる。さらに、ファン６としてプロペラファンだけでなくシロッコファンを用いることも可能である。
【産業上の利用可能性】
【０１０７】
本発明は、イオン発生器を搭載したヘアドライヤ、カールブラシ、ヘアアイロン等のヘアケア装置に関するものである。
【符号の説明】
【０１０８】
１  ヘアドライヤ
２  筐体
３  吸気フィルタ
４  ハンドル
５  イオン発生器
６  ファン
７  空気流路
８  上空気流路
９  下空気流路
１０  仕切板
１１  ヒータ
１２  吐出口
１３  ノズル
１４  スイッチ
１５  針電極
１６  誘導電極
１７  裏蓋
１８  カバー
１９  プリント基板
２０  穴
２１  ヘアアイロン
２２  筐体
２３  吸気口
２４  持手
２５  イオン発生器
２６  ファン
２７  空気流路
２８  イオン吐出口
２９  アイロン
３０  基板
【図１】
2013094193.tif 000005
【図２】
2013094193.tif 000006
【図３】
2013094193.tif 000007
【図４】
2013094193.tif 000008
【図５】
2013094193.tif 000009
【図６】
2013094193.tif 000010
【図７】
2013094193.tif 000011
【図８】
2013094193.tif 000012
【図９】
2013094193.tif 000013
【図１０】
2013094193.tif 000014
【図１１】
2013094193.tif 000015
【図１２】
2013094193.tif 000016
【図１３】
2013094193.tif 000017
【図１４】
2013094193.tif 000018
【図１５】
2013094193.tif 000019
【図１６】
2013094193.tif 000020
【図１７】
2013094193.tif 000021